(57)【要約】【課題】ヒーターが設置されている部屋とは別の部屋から操作しても、誤動作を引き起こすことなく、ヒーターの起動と停止を行うことが可能な遠隔操作型ヒーターを提供する。【解決手段】居室１内で使用される送信器２には、電源スイッチ３と操作ボタン４が設けられている。トイレ５内には、受信器６とヒーター７とが設置されている。受信器６とヒーター７とは、スイッチ回路８を介して電気的に接続されており、スイッチ回路８にはタイマー９が接続されている。送信器２の操作ボタン４を押すと、予め定められたコード情報が付加された無線電波が送信される。受信器６は、無線電波を受信し、無線電波のコード情報のＩＤと不揮発性メモリに記録されたコード情報のＩＤが一致すると、スイッチ回路８にＯＮ信号が送出され、ヒーター７の電源をＯＮにする。【選択図】図１
0003183538.tif 000002
【実用新案登録請求の範囲】
【請求項１】
無線電波を送信する送信器と、前記送信器から送信される無線電波を受信し、前記送信器とのペアリングがなされている受信器と、前記受信器にスイッチ回路を介して接続されたヒーターとを備えた遠隔操作型ヒーター。
【請求項２】
前記送信器は、ペアリングのためのＩＤを含むコード情報を無線電波に付加する送信制御部と、電池とを備えていることを特徴とする請求項１記載の遠隔操作型ヒーター。
【請求項３】
前記受信器は、登録時のコード情報を記録する不揮発性メモリと、前記不揮発性メモリに記録されたコード情報と前記送信器から受信したコード情報との同一性を検出する受信制御部とを備えていることを特徴とする請求項１または２記載の遠隔操作型ヒーター。
【考案の詳細な説明】
【技術分野】
【０００１】
本考案は、ヒーターが設置されている部屋とは別の部屋から操作してヒーターの起動と停止を行うことが可能な遠隔操作型ヒーターに関する。
【背景技術】
【０００２】
家電の分野では、リモコンが普及しており、テレビやエアコンにおいて多用されている。これらの家電製品に使用されているリモコンは赤外線を用いているため、家電製品が設置されている部屋内でリモコンを用いて操作するのが通常である。これは、赤外線が部屋を隔てる壁を越えて伝搬しないことに起因している。
リモコンを用いた技術の一例として、トイレ内の設備や暖房器具をリモコンで操作する際の技術に関するものが、特許文献１に記載されている。
【先行技術文献】
【特許文献】
【０００３】
【特許文献１】特開２００９−５７８２３号公報
【考案の開示】
【考案が解決しようとする課題】
【０００４】
冬季のトイレはかなりの低温になるため、特に高齢者にとっては危険な状況が生じ得る。そのため、トイレにヒーターを設置している家庭も存在している。しかし、通常のリモコンでは、トイレ以外の部屋からヒーターを起動させることができず、予めトイレ内を暖めてから使用することができない。
【０００５】
その一方で、比較的距離を隔てた位置からでもリモコンが機能するようにすると、室内の他の機器がリモコンに反応してしまい、誤動作の原因となる。
【０００６】
本考案は、このような事情を考慮してなされたもので、ヒーターが設置されている部屋とは別の部屋から操作しても、誤動作を引き起こすことなく、ヒーターの起動と停止を行うことが可能な遠隔操作型ヒーターを提供することを目的とする。
【課題を解決するための手段】
【０００７】
以上の課題を解決するために、本考案の遠隔操作型ヒーターは、無線電波を送信する送信器と、前記送信器から送信される無線電波を受信し、前記送信器とのペアリングがなされている受信器と、前記受信器にスイッチ回路を介して接続されたヒーターとを備えたものである。
【０００８】
一般的なリモコンで使用されている赤外線よりも波長の長い無線電波を用いているため、受信器とヒーターとが設置されている部屋とは別の部屋で送信器を操作しても、無線電波は回折しやすいため、壁やドアを隔てていても、送信器が送信した無線電波は受信器に受信される。受信器が無線電波を受信すると、スイッチ回路によってヒーターが起動する。
【０００９】
また、送信器と受信器とはペアリングがなされているため、ペアリングがなされていない他の送信器によってヒーターが起動することがない。そのため、自家で使用している他の送信器や、近隣の他家で使用している送信器による誤動作を防止することができる。
【００１０】
本考案の遠隔操作型ヒーターにおいては、前記送信器は、ペアリングのためのＩＤを含むコード情報を無線電波に付加する送信制御部と、電池とを備えている構造とすることができる。
【００１１】
送信制御部によってペアリングのためのＩＤを含むコード情報を無線電波に付加することによって、ペアリングの対象となる受信器のみが応答する無線電波を送信することができる。また、電池を備えているため、可搬型の送信器として用いることができる。
【００１２】
本考案の遠隔操作型ヒーターにおいては、前記受信器は、登録時のコード情報を記録する不揮発性メモリと、前記不揮発性メモリに記録されたコード情報と前記送信器から受信したコード情報との同一性を検出する受信制御部とを備えている構造とすることができる。
【００１３】
受信制御部が不揮発性メモリに記録されたコード情報と送信器から受信したコード情報との同一性を検出し、同一の場合のみヒーターを起動させるため、誤動作を防止することができる。
【考案の効果】
【００１４】
本考案によると、ヒーターが設置されている部屋とは別の部屋から操作しても、誤動作を引き起こすことなく、ヒーターの起動と停止を行うことが可能な遠隔操作型ヒーターを実現することができる。
【図面の簡単な説明】
【００１５】
【図１】本考案の実施形態に係る遠隔操作型ヒーターの構成を示す図である。
【図２】送信器の構成を示す図である。
【図３】受信器の構成を示す図である。
【図４】複数の組の送信器と受信器について、同時に登録時のペアリングを行っている様子を示す図である。
【考案を実施するための形態】
【００１６】
以下に、本考案の遠隔操作型ヒーターを、その実施形態に基づいて説明する。
図１に、本考案の実施形態に係る遠隔操作型ヒーターの構成を示す。
居室１内で使用される送信器２には、電源スイッチ３と操作ボタン４が設けられている。送信器２はペアリングされた無線電波を送信する。ペアリングの機能については後に詳述する。無線電波の一例として、２．４ＧＨｚの周波数帯の電波を用いることができる。
【００１７】
トイレ５内には、受信器６とヒーター７とが設置されている。受信器６とヒーター７とは、スイッチ回路８を介して電気的に接続されており、スイッチ回路８にはタイマー９が接続されている。ヒーター７の一例として、ハロゲンヒーターを用いることができる。
【００１８】
図２に、送信器２の構成を示す。
送信器２は、電池１１と送信制御部１２とを備えている。送信制御部１２は、ペアリングのためのＩＤ１３を含むコード情報を無線電波に付加し、無線送信部１４から無線電波を送信する。ペアリングとは、送信器２と受信器６とを対応付ける機能を持たせることを言い、互いに対応付けられた送信器２と受信器６との間でのみ選択的に無線電波の受信が可能となるようにすることである。この機能は、特定のＩＤ１３を含むコード情報を無線電波に付加することによって実現できる。送信制御部１２として、制御用として通常使用されるＩＣを用いることができる。
【００１９】
図３に、受信器６の構成を示す。
受信器６は、無線受信部２１、受信制御部２２、不揮発性メモリ２３、接点信号出力部２４を備えている。不揮発性メモリ２３には、製品出荷の際の登録時のコード情報が記録されており、無線受信部２１が受信した無線電波のコード情報と、不揮発性メモリ２３に記録されたコード情報との同一性を受信制御部２２が検出する。無線電波のコード情報のＩＤと不揮発性メモリ２３に記録されたコード情報のＩＤが一致すると、接点信号出力部２４の接点信号出力をＯＮにする。受信制御部２２として、制御用として通常使用されるＩＣを用いることができる。
【００２０】
次に、本考案の実施形態に係る遠隔操作型ヒーターの使用方法について説明する。
最初に、製品出荷時のペアリング設定の操作について説明する。
送信器２と受信器６を登録モードに設定し、送信器電源スイッチ３をＯＮにする。送信器２は、通常使用時の電波出力よりも弱い出力で、登録用の自己ＩＤを含むコード情報が付加された無線電波を無線送信部１４から送信する。受信器６は、受信した登録用コードを不揮発性メモリ２３に記録する。受信器６は登録用コードの記録が終了すると、音または光を発して正常終了したことを通知する。
【００２１】
図４に、複数の組の送信器２と受信器６について、同時に登録時のペアリングを行っている様子を示す。
登録時のペアリングに使用される電波出力を、通常使用時の電波出力よりも弱い出力で行っているため、数メートル程度離れていれば、同時に複数の組の送信器２と受信器６についてペアリングを行うことが可能である。
【００２２】
次に、通常動作時の操作について説明する。
送信器２の操作ボタン４を押すと、予め定められたコード情報が付加された無線電波が送信される。受信器６は、無線電波を受信し、無線電波のコード情報のＩＤと不揮発性メモリ２３に記録されたコード情報のＩＤが一致すると、接点信号出力部２４の接点信号出力をＯＮにする。接点信号出力部２４の接点信号出力がＯＮになると、図１に示すスイッチ回路８にＯＮ信号が送出され、スイッチ回路８はＯＮ信号を受け取ると、ヒーター７の電源をＯＮにする。
【００２３】
ヒーター７が起動すると、これと同時にタイマー９が稼働し、所定の時間が経過すると、タイマー９はスイッチ回路８にＯＦＦ信号を送出する。これにより、ヒーター７の電源が切れる。なお、タイマー９はヒーター７が長時間に亘って稼働したままの状態となることを防止するために設置しており、タイマー９の設置は状況に応じて適宜選択できる。
【００２４】
このように、本考案の遠隔操作型ヒーターを用いると、居室１で就寝中等にトイレ５を使用したくなったときに、送信器２を用いてトイレ５内に設置されたヒーター７を予め起動させておき、所定の時間が経過して、トイレ５内の室温が上昇したころにトイレ５を利用することが可能である。そのため、気温の低いトイレ５で体調不良になったり、倒れたりすることを防止できる。
【００２５】
なお、上述した実施形態においては、受信器６とヒーター７をトイレ内に設置した場合について説明しているが、受信器６とヒーター７を設置する場所はこれに限定されない。
【産業上の利用可能性】
【００２６】
本考案は、ヒーターが設置されている部屋とは別の部屋から操作しても、誤動作を引き起こすことなく、ヒーターの起動と停止を行うことが可能な遠隔操作型ヒーターとして利用することができる。特に、トイレのように、冬季に低温となる場所に対して、別の居室から操作してヒーターを予め起動させて、温度が適温となってから使用することができるため、高齢者や病人が安全に使用することができる。
【符号の説明】
【００２７】
１  居室
２  送信器
３  電源スイッチ
４  操作ボタン
５  トイレ
６  受信器
７  ヒーター
８  スイッチ回路
９  タイマー
１１  電池
１２  送信制御部
１３  ＩＤ
１４  無線送信部
２１  無線受信部
２２  受信制御部
２３  不揮発性メモリ
２４  接点信号出力部
【図１】
0003183538.tif 000003
【図２】
0003183538.tif 000004
【図３】
0003183538.tif 000005
【図４】
0003183538.tif 000006